(57)【要約】      （修正有）【課題】複数のＥＶＡ材シート材表面を撥水性樹脂材で被覆縫製した折畳み体を用いて、飲料容器を挟持したまま携帯し、また、単独でアウトドアにおける座布団として用いることができる座布団兼用飲料容器携帯具を提供する。【解決手段】断熱効果を有する複数のＥＶＡ（エチレンビニルアセテート）シート材をキメの細かい撥水材を塗布した柔軟性樹脂材を被覆させて逢着した折畳み体を小さく折畳んで携帯できるようにし、座布団として用いるときには平面状に全面を開き、ペットボトル等の飲料容器を保持するときには三角形状にしてペットボトルを挟持して携帯可能とする。【選択図】図１
0003121673.tif 000002
【実用新案登録請求の範囲】
【請求項１】
複数のＥＶＡ材シート材表面を撥水性樹脂材で被覆縫製した折畳み体であって、飲料容器を挟持して携帯可能なことを特徴とする座布団兼用飲料容器携帯具。
【請求項２】
前記折畳み体は、４個の縦長形状のＥＶＡ材シート材を折畳んで、端部に設けた輪環状ゴム材で押さえながら携帯できることを特徴とする請求項１記載の座布団兼用飲料容器携帯具。
【請求項３】
前記折畳み体は、三角形状に折曲げて飲料容器を保持し、輪環状ゴム材で押さえながら携帯できることを特徴とする請求項１記載の座布団兼用飲料容器携帯具。
【請求項４】
前記折畳み体は、全面を平行にすることによって座布団として用いることを特徴とする請求項１記載の座布団兼用飲料容器携帯具。
【請求項５】
前記折畳み体は、表裏面に模様や文字を施してあることを特徴とする請求項１記載の
座布団兼用飲料容器携帯具。
【考案の詳細な説明】
【技術分野】
【０００１】
本考案は、座布団兼用飲料容器携帯具に関し、更に詳しくは、複数のＥＶＡ材シート材表面を撥水性樹脂材で被覆縫製した折畳み体を用いて、飲料容器を挟持したまま携帯し、また、単独でアウトドアにおける座布団として用いることができる座布団兼用飲料容器携帯具である。
【背景技術】
【０００２】
従来、耐水性や体摩耗性に優れた屋外座布団としては、実用新案第３１０９０２０号「屋外用座布団」に開示されるように、硬質ウレタンやＥＶＡシートを用いた平面状で種々の形態の座布団が知られている。
【０００３】
一方で、ペットボトル等の飲料容器を収納保冷するものとして、特開平７−１４９３７９号「ペットボトルの収納保冷方法」は、内周面に断熱材を装着したボックスにペットボトルを挿脱自在に収納し、ボックス内において上端からペットボトルの首部を突出させ、さらにボックス上部にはコップ型の外蓋を着脱自在に外嵌合し、ボックス内に収容したペットボトルを収容状態のまま外蓋を外して飲料液を注ぐことができることを開示している。
【特許文献１】実用新案第３１０９０２０号公報
【特許文献２】特開平７−１４９３７９号公報
【考案の開示】
【考案が解決しようとする課題】
【０００４】
上記のようにペットボトル自体を収納保冷する器具としては、ペットボトルを収納可能な筒型形状の器具を用いて携帯可能としているが、これらはペットボトルの専用用具として用いられるものである。
【０００５】
また上記硬質ウレタン等の素材を用いた座布団は、平面形態の座布団であるために折曲げることや、他の容器を保持するという機能は併せ持っていなかった。
【課題を解決するための手段】
【０００６】
本考案者は、掛かる課題を解決するために鋭意研究したところ、断熱効果を有する複数のＥＶＡ（エチレンビニルアセテート）シート材をキメの細かい撥水材を塗布した柔軟性樹脂材を被覆させて逢着した折畳み体を小さく折畳んで携帯できるようにし、、座布団として用いるときには平面状に全面を開き、ペットボトル等の飲料容器を保持するときには三角形状にしてペットボトルを挟持して携帯可能とする新規な座布団兼用飲料容器携帯具を提供できた。
【０００７】
すなわち本考案の第一は、複数のＥＶＡ材シート材表面を撥水性樹脂材で被覆縫製した折畳み体であって、飲料容器を挟持して携帯可能なことを特徴とする座布団兼用飲料容器携帯具である。
【０００８】
本考案の第二は、前記折畳み体は、４個の縦長形状のＥＶＡ材シート材を折畳んで、端部に設けた輪環状ゴム材で押さえながら携帯できることを特徴とする請求項１記載の座布団兼用飲料容器携帯具である。
【０００９】
本考案の第三は、前記折畳み体は、三角形状に折曲げて飲料容器を保持し、輪環状ゴム材で押さえながら携帯できることを特徴とする請求項１記載の座布団兼用飲料容器携帯具である。
【００１０】
本考案の第四は、前記折畳み体は、全面を平行にすることによって座布団として用いることを特徴とする請求項１記載の座布団兼用飲料容器携帯具である。
【００１１】
本考案の第五は、前記折畳み体は、表裏面に模様や文字を施してあることを特徴とする請求項１記載の座布団兼用飲料容器携帯具である。
【考案の効果】
【００１２】
本考案具は、ＥＶＡ素材を用いる為に軽量で断熱効果に優れ、さらに折畳み線を介して折畳みが自由であるために四つ折りに小さく折畳むことができ、携帯が容易にできる新規な携帯具である。
【００１３】
本考案具を用いてペットボトル等の飲料容器を保持して携帯する場合には、本体を三角形状に折って中心部に飲料容器を保持し、本体部の端部に取付けた輪環状ゴムで絞める為に下方には落ちないようになっており、ＥＶＡ材シートの働きで断熱効果を得て飲料容器内の液温が上がることを防止している。
【００１４】
本考案具を座布団として用いる場合には、折畳んだ状態を開放して全面が平面状となるようにして地面や椅子等において座ることによって、地面等からの汚れや冷気を遮断することができ、また、座布団自体が汚れた場合には、発す材を塗布したキメの細かな樹脂材の働きで洗浄・乾燥が簡易に行えるようになっている。
【００１５】
本考案具は、内部素材とエンボス加工処理が容易なＥＶＡシート材を用いているために、表裏面に模様他文字等を容易に印刷でき、広告用としても幅広く用いることができるものである。
【考案を実施するための最良の形態】
【００１６】
以下、図面を参照して本考案の詳細を説明するが、本考案の範囲はこれらに限定されるものではない。
【実施例１】
【００１７】
図１は、本考案の飲料容器携帯具としての実施態様を説明する斜視図である。本体部１は、通常四つ折り状態から開放し、三角形状にして飲料容器であるペットボトル４を挟持し、２本の上下の輪環状ゴム材３で周囲を一体的に絞り、内部のペットボトルが本体部１の下方の開放口から落下しないようにしており、更に、携帯時には他の輪環状ゴム材３で携帯可能となっている。
【００１８】
図２は、本考案具を座布団として用いた場合の平面図であり、本体部は図４に示すように縦型に四個のＥＶＡシート材８を、予め逢着した２枚の撥水性のキメの細かな表裏の柔軟性シート材９、１０で被覆して縫着し、端部をキメの粗いテープ状樹脂材を二つ折りして縫着した縫着部２を形成して、三個所の折畳み線５、６、７で四つ折りに折畳むようにできている。
【００１９】
図３は、本考案具を単独で携帯する場合の実施態様を説明する斜視図である。この場合、本体部１を四つ折りにして重ね、輪環状ゴム材で周囲を収めて運ぶようになっている。
【００２０】
本考案具の材質としてＥＶＡシートを用いたが、この材質に代わり硬質ウレタン等も用いることができるが、本考案具に用いる、ＥＶＡシートはエンボス加工等によって本体部表面に任意の模様や文字等を形成できるために、広告文等を表す場合にはＥＶＡシート材を用いることが好ましい。
【図面の簡単な説明】
【００２１】
【図１】本考案の飲料容器携帯具としての実施態様を説明する斜視図である。
【図２】本考案の座布団としての実施態様を説明する平面図である。
【図３】図２を折畳んだ状態を説明する斜視図である。
【図４】図２のＡ−Ａ’矢視を示す拡大断面図である
【符号の説明】
【００２２】
１・・・本体部
２・・・縫着部
３・・・輪環状ゴム材
４・・・ペットボトル
５・・・第１折畳み線
６・・・第２折畳み線
７・・・第３折畳み線
８・・・ＥＶＡシート体
９・・・表面撥水材塗布樹脂材
１０・・裏面撥水材塗布樹脂材
１１・・硬質樹脂材
【図１】
0003121673.tif 000003
【図２】
0003121673.tif 000004
【図３】
0003121673.tif 000005
【図４】
0003121673.tif 000006